(57)【特許請求の範囲】
【請求項１】
ＰＣａ化または現場打ちされた鉄筋コンクリート製の手摺壁と、ＰＣａ化または現場打ちされた鉄筋コンクリート製の床部との打継ぎ部に、斜筋を配筋したことを特徴とする手摺壁と床部の打継ぎ構造。
【請求項２】
上記床部に形成される溝部を、上記手摺壁との打継ぎ部から適宜距離を隔てて設けることを特徴とする請求項１に記載の手摺壁と床部の打継ぎ構造。
【請求項３】
上記床部に形成した溝部の打継ぎ側の立上り部を反対側の立上り部より高く構成し、該打継ぎ側の立上り部に上記斜筋を配筋したことを特徴とする請求項２に記載の手摺壁と床部の打継ぎ構造。
【請求項４】
ＰＣａ化された鉄筋コンクリート製の手摺壁を、建築現場で建て込んで現場打ちされる床部と一体的にコンクリート打ち継ぎする工法において、上記手摺壁と床部との打継ぎ部から延出した鉄筋に溝用型枠を取り付け固定することを特徴とする手摺壁と床部の打継ぎ工法。
【発明の詳細な説明】
【０００１】
【発明の属する技術分野】
本発明は、建物のバルコニー、パラペット、廊下部やホール等の手摺壁と床部を一体的に打継ぎして成る打継ぎ構造および打継ぎ工法に関する。
【０００２】
【従来の技術】
従来、例えばバルコニーにおける手摺壁の打継ぎ構造としては、図６に示すように、ＰＣａ化された手摺壁Ｂ１を、建物の建築現場のバルコニー部位において建て込み、現場打ちされる床部Ｂ２に一体的にコンクリート打ち継ぎするものがあった。
【０００３】
【発明が解決しようとする課題】
しかしながら、上記従来の手摺壁は、上記手摺壁Ｂ１が、床部Ｂ２に形成される排水溝等の溝部Ｍの位置で打ち継がれるため、打ち継ぎ面Ｆの面積が少なくて打継ぎ強度が弱く、その結果、クラックが生じ易く、しかも、このクラック内に浸み込んだ雨水等により、内部の鉄筋Ｒが錆びて強度がさらに低下する等の問題点があった。
【０００４】
本発明は、上記従来の課題を解決するためになされたもので、その目的とするところは、ＰＣａ化または現場打ちされた手摺壁と、ＰＣａ化または現場打ちされた床部との打継ぎ部の強度を向上せしめて、クラックの発生を防止したり、また、床部の排水溝等の溝部を効果的に形成することが可能な手摺壁と床部の打継ぎ構造および打継ぎ工法を提供することにある。
【０００５】
【課題を解決するための手段】
本発明の手摺壁と床部の打継ぎ構造は、ＰＣａ化または現場打ちされた鉄筋コンクリート製の手摺壁と、ＰＣａ化または現場打ちされた鉄筋コンクリート製の床部との打継ぎ部に、斜筋を配筋したことを特徴とする。また、上記床部に形成される溝部を、上記手摺壁との打継ぎ部から適宜距離を隔てて設けることを特徴とする。さらに、上記床部に形成した溝部の打継ぎ側の立上り部を反対側の立上り部より高く構成し、該打継ぎ側の立上り部に上記斜筋を配筋したことを特徴とする。
【０００６】
本発明の手摺壁と床部の打継ぎ工法は、ＰＣａ化された鉄筋コンクリート製の手摺壁を、建築現場で建て込んで現場打ちされる床部と一体的にコンクリート打ち継ぎする工法において、上記手摺壁と床部との打継ぎ部から延出した鉄筋に溝用型枠を取り付け固定することを特徴とする。
【０００７】
【発明の実施の形態】
以下、本発明の実施例について図面を参照しながら説明する。図１において、１は、予め工場等においてＰＣａ製品として製造されて建築現場のバルコニー部位等に建て込まれる手摺壁であり、一方、２は、建築現場のバルコニー部位等において配筋およびコンクリートを現場打ちされて構築される床部である。
【０００８】
上記手摺壁１の下部の打継ぎ部には、打継ぎ面１ａが形成されている。該打継ぎ面１ａにはコッター１ａ′を形成して、打継ぎ強度を向上せしめるのが好ましい。
【０００９】
上記手摺壁１内に配筋されている縦鉄筋３の下端部は、上記打継ぎ面１ａからほぼ垂直に延出している。上記縦鉄筋３は別途打ち継ぎ用に配筋された継ぎ筋であってもよい。４は斜筋であって、上記手摺壁１の打継ぎ部から上記床部２に向けて斜め下方に延出している。５は横鉄筋、６はタイルである。
【００１０】
上記床部２には排水溝等の溝部７が形成されている。該溝部７は、上記手摺壁１の打継ぎ面１ａから、適宜距離Ｌを隔てた位置に形成されている。上記溝部７の２つの立上り部７ａ、７ｂのうち、打継ぎ側の立上り部７ａの立上り寸法Ｈを、反対側の立上り部７ｂの寸法より高くし、しかも、打継ぎ側の立上り部７ａの上面２ａには溝部７の方向に向けて下がるように傾斜を持たせる。これらの構成により、上記床部２の打継ぎ面２ｂの面積をさらに大きくすることができる。 ８および９は床部２の鉄筋、１０はシールである。
【００１１】
図２は、別の実施例を示すもので、手摺壁１の打継ぎ面１ａのほぼ上半部分に突設部１′を形成すると共に、該突設部１′の下側にオーバーハング状の斜面１ａ″を形成して、該斜面１ａ″に対して上記斜筋４をほぼ垂直に延出せしめるように構成したものである。上記突設部１′を設けることにより雨水等がさらに浸入し難くなる。また、斜面１ａ″に対して斜筋４を垂直に延出せしめることにより、斜筋４による打継ぎ強度をさらに向上せしめることができる。
【００１２】
図３は、更に別の実施例を示すもので、上記斜筋４による補強に代えて、上記縦鉄筋３にほぼ平行に継筋１１を配筋することにより、打継ぎ部全体の構成を単純化し且つ施工性を容易にして、コストダウンを図るように構成したものである。
【００１３】
図４は、上記床部２の溝部７を形成するための溝用型枠１２を示すもので、図４（Ｂ）に拡大して示すように、該溝用型枠１２の下側に設けた板バネ状の取付フック１３を固定金物１４に弾性的に挟着することにより、該溝用型枠１２を手摺壁部１から延出する上記縦鉄筋３に迅速かつ確実に取り付けるように構成したものである。上記固定金物１４は、手摺壁部１の製造工程において、縦鉄筋３に溶接等により固定する。
【００１４】
図５は、上記各実施例における構造性能を示すグラフであって、これによれば、水平力が１．０Ｇではクラックが発生することはなく、また、最大強度は在来のＲＣ（鉄筋コンクリート）造によるコンクリートの一体打ちの場合と同等であることが確認できる。なお、図中の第１実施例は図１に示す構造の実施例を、また、第２実施例は図２に示す構造の実施例を、さらに、第３実施例は図３に示す構造の実施例を、それぞれ示すものである。
【００１５】
上記各実施例では、手摺壁１をＰＣａ化して、鉄筋コンクリートを現場打ちされる床部２に打ち継ぐ構造について説明したが、上記手摺壁１を現場打ちにして、これをＰＣａ化または現場打ちされた床部２に打ち継いで構成してもよく、また、両者をＰＣａ化して相互に打ち継いで構成してもよい。
【００１６】
【発明の効果】
１）手摺壁と床部の打ち継ぎ部に斜筋を配筋することにより、構造的に粘り強くなって、打ち継ぎ強度が向上した。
２）床部に形成される排水溝等の溝部を、手摺壁との打ち継ぎ部から適宜距離を隔てて設けるように構成したので、打ち継ぎ面を広くすることができ、クラックが生じ難く、雨水等が浸入しなくなった。
３）床部の溝部の打ち継ぎ側の立上り部を高くすることにより、手摺壁との打ち継ぎ面をさらに広くしたり、斜筋を配筋し易くすることが可能となった。
４）手摺壁の打ち継ぎ部から延出した鉄筋に溝部用型枠を取り付けるようにしたので、型枠の取付を工場等において精度良く取り付けることができるだけでなく解体を不要とすることができ、また、最終的な床面の補修も不要となる。
【図面の簡単な説明】
【図１】本発明の手摺壁と床部の打継ぎ構造の一実施例の説明図である。
【図２】本発明の手摺壁と床部の打継ぎ構造の別の実施例の説明図であ
る。
【図３】本発明の手摺壁と床部の打継ぎ構造の更に別の実施例の説明図である。
【図４】本発明の構造による手摺壁と床部の打継ぎ構造強度の効果を示すグラフである。
【図５】溝用型枠による施工例を示す説明図である。
【図６】従来の工法の説明図である。
【符号の説明】
１  手摺壁
１′突設部
１ａ  打ち継ぎ面
１ａ′コッター
１ａ″斜面
２  床部
２ａ  上面
２ｂ  打ち継ぎ面
３  縦鉄筋
４  斜筋
５  横鉄筋
６  タイル
７  溝部
７ａ  立上り部
７ｂ  立上り部
８  鉄筋
９  鉄筋
１０  シール
１１  継筋
１２  溝用型枠
１３  取付フック
１４  固定金物
Ｈ  立上り寸法
Ｌ  距離
1
5
【図１】
0003944607.tif 000002
【図２】
0003944607.tif 000003
【図３】
0003944607.tif 000004
【図４】
0003944607.tif 000005
【図５】
0003944607.tif 000006
【図６】
0003944607.tif 000007